【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
基地局のスケジューラモジュールによって実行されるワイヤレス通信の方法であって、前記基地局は、ロングタームエボリューション（ＬＴＥ）リンク及びワイヤレスローカルエリアネットワーク（ＷＬＡＮ）リンクを通じて複数のユーザ機器（ＵＥ）と通信するように構成され、前記方法は、
それぞれのＬＴＥ論理チャネルおよび前記ＵＥに関連するダウンリンク（ＤＬ）パケットを決定することと、
前記ＤＬパケットに優先順位付けすることと、
前記優先順位付けすることに基づいて、前記ＤＬパケットに関して前記ＬＴＥリンクおよび前記ＷＬＡＮリンクのリソースを割り当てることと、
アグリゲーティング層からＤＬパケットを要求することと、
送信間隔において、前記ＷＬＡＮリンクおよびＬＴＥリンクの前記割り当てられたリソースによって、少なくとも前記ＵＥのサブセットに、前記ＤＬパケットを送信することと、
を備え、
前記ＤＬパケットに優先順位付けすることは、前記送信間隔が、ＬＴＥスケジューリング間隔、ＷＬＡＮスケジューリング間隔、またはＬＴＥスケジューリング間隔とＷＬＡＮスケジューリング間隔の両方と一致するかどうかに応じて、ＬＴＥ優先順位メトリック、ＷＬＡＮメトリック、またはＬＴＥ優先順位メトリックとＷＬＡＮ優先順位メトリックの両方に基づくことを特徴とする、方法。
【請求項２】
前記ＬＴＥリンクおよび前記ＷＬＡＮリンク上のリソースを割り当てることが、前記送信間隔の前の、１つまたは複数のＷＬＡＮ送信バッファのフィルレベルにさらに基づく、請求項１に記載の方法。
【請求項３】
前記ＬＴＥリンクおよび前記ＷＬＡＮリンク上のリソースを割り当てることが、前記ＷＬＡＮリンクのチャネル品質にさらに基づく、請求項１に記載の方法。
【請求項４】
ＷＬＡＮインターフェースデータレート又はＷＬＡＮインターフェースエラーレートに従って、前記ＷＬＡＮリンクのチャネル品質を決定することをさらに備える、請求項３に記載の方法。
【請求項５】
前記ＬＴＥリンクおよび前記ＷＬＡＮリンク上のリソースを割り当てることが、前記ＷＬＡＮリンクに関連する送信遅延及び前記ＬＴＥリンクに関連する送信遅延にさらに基づく、請求項１に記載の方法。
【請求項６】
前記送信することは、異なるサービス品質（ＱｏＳ）レベルに関連する１つまたは複数のＷＬＡＮ送信バッファに、前記パケットを追加することを備える、請求項１に記載の方法。
【請求項７】
各ＬＴＥ論理チャネルについて、そのＬＴＥ論理チャネルに関連する前記１つまたは複数のＷＬＡＮ送信バッファに入れるべきＤＬパケットの仮の量を決定することをさらに備え、ＤＬパケットの前記仮の量は、前記ＬＴＥ論理チャネルに関連する前記１つまたは複数のＷＬＡＮ送信バッファについての最大推定バッファサイズと、前記ＬＴＥ論理チャネルのためのＤＬパケットの量とに少なくとも部分的に基づく、請求項１に記載の方法。
【請求項８】
前記送信間隔内の残りの量の時間と、前記１つまたは複数のＷＬＡＮ送信バッファから前記ＬＴＥ論理チャネルを実装するＵＥへの推定されるデータ送信レートとに少なくとも部分的に基づいて、前記ＬＴＥ論理チャネルに関連する前記１つまたは複数のＷＬＡＮ送信バッファについての前記最大推定バッファサイズを決定することをさらに備える、請求項１０に記載の方法。
【請求項９】
前記送信間隔の間に、前記ＬＴＥ論理チャネル及び前記ＬＴＥ論理チャネルを実装する前記ＵＥについての前記ＬＴＥリンク及び前記ＷＬＡＮリンクの間の優先順位付けに基づいて、前記ＬＴＥ論理チャネルから前記ＬＴＥ論理チャネルに関連する前記１つまたは複数のＷＬＡＮ送信バッファに前記仮の量のＤＬパケットを追加するかどうかを決定することをさらに備える、請求項７に記載の方法。
【請求項１０】
前記決定された仮の量に従って、前記ＬＴＥ論理チャネルに関連する、前記１つまたは複数のＷＬＡＮ送信バッファについての利用可能なデータの総量を送信することの、推定される全遅延と、前記ＬＴＥリンクによる、前記ＬＴＥ論理チャネルに関連する前記１つまたは複数のＷＬＡＮ送信バッファについての利用可能なデータの総量を送信することの、推定される全遅延との差に基づいて、前記送信間隔の間に前記ＬＴＥ論理チャネルのための前記ＷＬＡＮリンクと前記ＬＴＥリンクとの間の前記優先順位付けを決定することをさらに備える、請求項９に記載の方法。
【請求項１１】
前記ＬＴＥ論理チャネルに関連する前記１つまたは複数のＷＬＡＮ送信バッファに前記仮の量のダウンリンクデータを追加するという決定に応答して、前記送信間隔の間、ＤＬ ＬＴＥリソースが、前記ＬＴＥ論理チャネルを実装する前記ＵＥについて現在スケジュールされているかどうかを決定することと、
前記ＤＬ ＬＴＥリソースが前記ＵＥについて現在スケジュールされている、という前記決定に基づいて、仮のＵＥ ＤＬリソース割り当てを更新することとをさらに備える、請求項９に記載の方法。
【請求項１２】
前記ＵＥの各々によって実装される前記ＬＴＥ論理チャネルの各々について、前記ＷＬＡＮ送信バッファのうちの前記１つまたは複数に、前記決定された量の前記ダウンリンクデータを追加することと、
前記ＷＬＡＮ送信バッファのうちの前記１つまたは複数に前記決定された量の前記ダウンリンクデータを追加した後に、前記ＷＬＡＮ送信バッファのうちの前記１つまたは複数におけるデータの現在の量に関連するリソースの推定される量が、しきい値未満であると決定することと、
前記優先順位付けすることによって定められる順序で、前記ＵＥの各々によって実装される前記ＬＴＥ論理チャネルの各々について、前記ＷＬＡＮ送信バッファのうちの１つまたは複数に追加すべきダウンリンクデータの新たな量を決定することと、をさらに備える、請求項１に記載の方法。
【請求項１３】
請求項１乃至１２のうちのいずれか一項に記載の方法のステップを実行するための手段を備える、基地局のスケジューラモジュール。
【請求項１４】
基地局のスケジューラモジュールによって実行されたときに請求項１乃至１２のうちのいずれか一項に記載の方法のステップを実行する命令を備える、コンピュータプログラム製品。
【手続補正２】
【補正対象書類名】明細書
【補正対象項目名】０１２３
【補正方法】変更
【補正の内容】
【０１２３】
[0136]本開示の上の説明は、当業者が、本開示を製造又は使用することを可能にするように提供される。本開示に対する様々な修正が、当業者には容易に明らかであり、本明細書で定義された一般原理は、本開示の趣旨又は範囲から逸脱することなく、他の変形形態に適用され得る。本開示全体を通して、「例」又は「例示的」という用語は、例又は事例を示し、記された例に対するいかなる好ましさを暗示するものでも、又は必要とするものでもない。したがって、本開示は、本明細書に説明された実施例及び設計に限定されるものではなく、本明細書に開示される原理及び新たな特徴に矛盾しない最も広い範囲を認められるべきである。
以下に、出願当初の特許請求の範囲に記載された発明を付記する。
［Ｃ１］
ワイヤレス通信の方法であって、
基地局によって、第１の送信間隔において、ロングタームエボリューション（ＬＴＥ）リンク及びワイヤレスローカルエリアネットワーク（ＷＬＡＮ）リンクのうちの１つまたは複数でのダウンリンクデータ送信について、複数のユーザ機器（ＵＥ）を決定することと、
前記ダウンリンク（ＤＬ）送信のためのデータを決定することと、
前記ＵＥが前記ＬＴＥリンク及び前記ＷＬＡＮリンクのうちの１つまたは複数でサーブされるときに、前記第１の送信間隔において前記データを送信するためのリソースを共同で割り当てることであって、
リンク毎に、ＬＴＥリンクおよびＷＬＡＮリンクのそれぞれにおける前記ＤＬ送信のための前記データの複数の部分に優先順位付けすることと、
前記共同で割り当てられたリソースに基づいて前記ＤＬ送信のためのパケットを要求することとを含み、前記パケットは、前記ＬＴＥリンク及び前記ＷＬＡＮリンクについて前記基地局のアグリゲーティング層から要求される、リソースを共同で割り当てることと、
前記第１の送信間隔の間に、少なくとも前記ＵＥのサブセットに、前記アグリゲーティング層から受信されたパケットを送信することと、
を備える方法。
［Ｃ２］
前記ＷＬＡＮリンクにリソースを共同で割り当てることが、前記第１の送信間隔の前の、１つまたは複数のＷＬＡＮ送信バッファのフィルレベルに少なくとも部分的に基づく、Ｃ１に記載の方法。
［Ｃ３］
リソースを共同で割り当てることが、前記ＷＬＡＮリンクのチャネル品質に少なくとも部分的に基づく、Ｃ１に記載の方法。
［Ｃ４］
ＷＬＡＮインターフェースデータレート又はＷＬＡＮインターフェースエラーレートに従って、前記ＷＬＡＮリンクのチャネル品質を決定することをさらに備える、Ｃ３に記載の方法。
［Ｃ５］
リソースを共同で割り当てることが、前記ＷＬＡＮリンクに関連する送信遅延及び前記ＬＴＥリンクに関連する送信遅延に少なくとも部分的に基づく、Ｃ１に記載の方法。
［Ｃ６］
前記複数のＵＥの各々が、少なくとも１つのＬＴＥ論理チャネルに関連付けられ、前記方法は、
前記複数のＵＥの各々によって実装される各ＬＴＥ論理チャネルの優先順位を決定することと、
前記決定された優先順位によって定められる順序で、前記ＵＥの各々によって実装される前記ＬＴＥ論理チャネルの各々について、１つまたは複数のＷＬＡＮ送信バッファに追加するべきダウンリンクデータの量を決定することと、
をさらに備える、Ｃ１に記載の方法。
［Ｃ７］
前記送信することは、異なるサービス品質（ＱｏＳ）レベルに関連する１つまたは複数のＷＬＡＮ送信バッファに、前記パケットを追加することを含む、Ｃ１に記載の方法。
［Ｃ８］
前記複数のＵＥの各々によって実装される各ＬＴＥ論理チャネルについて、ＷＬＡＮの優先順位を決定することと、
各ＬＴＥ論理チャネルに関する、前記決定されたＷＬＡＮの優先順位に基づいて、前記複数のＵＥの各々によって実装される前記ＬＴＥ論理チャネルの順序付けを備える、ＷＬＡＮ優先順位リストを生成することと、をさらに備える、Ｃ６に記載の方法。
［Ｃ９］
前記ＷＬＡＮリンクについてのスケジューリングインスタンスが、前記ＬＴＥリンクについてのスケジューリングインスタンスと一致していると決定することと、
前記複数のＵＥの各々によって実装される各ＬＴＥ論理チャネルについてのＬＴＥ優先順位を決定することと、
各ＬＴＥ論理チャネルのために決定された前記ＬＴＥ優先順位に基づいて、前記複数のＵＥの各々によって実装される前記ＬＴＥ論理チャネルの順序付けを備えるＬＴＥ優先順位リストを生成することと、
前記ＬＴＥ優先順位リストと前記ＷＬＡＮ優先順位リストとを組み合わせることと、
前記ＬＴＥ優先順位リストと前記ＷＬＡＮ優先順位リストとの前記組み合わせに基づいた順序で、前記ＬＴＥリンク、及び前記ＷＬＡＮリンクのうちの前記１つまたは複数の間に、ＤＬ送信のための前記データを割り当てることとをさらに備える、Ｃ８に記載の方法。
［Ｃ１０］
前記決定された優先順位によって定められる前記順序に従って、各ＬＴＥ論理チャネルに関連する前記１つまたは複数のＷＬＡＮ送信バッファに入れるべき、そのＬＴＥ論理チャネルからのダウンリンクデータの仮の量を決定することをさらに備え、ダウンリンクデータの前記仮の量は、前記ＬＴＥ論理チャネルに関連する前記１つまたは複数のＷＬＡＮ送信バッファについての最大推定バッファサイズと、前記ＬＴＥ論理チャネルのための利用可能なダウンリンクデータの量とに少なくとも部分的に基づく、Ｃ６に記載の方法。
［Ｃ１１］
前記第１の送信間隔内の残りの量の時間と、前記１つまたは複数のＷＬＡＮ送信バッファから前記ＬＴＥ論理チャネルを実装する前記ＵＥへの推定されるデータ送信レートとに少なくとも部分的に基づいて、前記ＬＴＥ論理チャネルに関連する前記１つまたは複数のＷＬＡＮ送信バッファについての前記最大推定バッファサイズを決定することをさらに備える、Ｃ１０に記載の方法。
［Ｃ１２］
前記第１の送信間隔の間に、前記ＬＴＥ論理チャネル及び前記ＬＴＥ論理チャネルを実装する前記ＵＥについての前記ＬＴＥリンク及び前記ＷＬＡＮリンクのうちの前記１つまたは複数の間の優先順位付けに基づいて、前記ＬＴＥ論理チャネルから前記ＬＴＥ論理チャネルに関連する前記１つまたは複数のＷＬＡＮ送信バッファに前記仮の量のダウンリンクデータを追加するかどうかを決定することをさらに備える、Ｃ１０に記載の方法。
［Ｃ１３］
前記決定された仮の量に従って、前記ＬＴＥ論理チャネルに関連する、前記１つまたは複数のＷＬＡＮ送信バッファについての利用可能なデータの総量を送信することに関する、推定される全遅延と、前記ＬＴＥリンクによる、前記ＬＴＥ論理チャネルと関連する前記１つまたは複数のＷＬＡＮ送信バッファについての利用可能なデータの総量を送信することに関する、推定される全遅延との差に基づいて、前記第１の送信間隔の間に前記ＬＴＥ論理チャネルのための前記ＷＬＡＮリンクと前記ＬＴＥリンクとの間の前記優先順位付けを決定することをさらに備える、Ｃ１２に記載の方法。
［Ｃ１４］
前記ＬＴＥ論理チャネルに関連する前記１つまたは複数のＷＬＡＮ送信バッファに前記仮の量のダウンリンクデータを追加するという決定に応答して、前記第１の送信間隔の間、ダウンリンクＬＴＥリソースが、前記ＬＴＥ論理チャネルを実装する前記ＵＥについて現在スケジュールされているかどうかを決定することと、
ダウンリンクＬＴＥリソースが、前記ＵＥについて現在スケジュールされているという前記決定に基づいて、仮のＵＥダウンリンクリソース割り当てを更新することとをさらに備える、Ｃ１２に記載の方法。
［Ｃ１５］
前記ＵＥの各々によって実装される前記ＬＴＥ論理チャネルの各々について、前記ＷＬＡＮ送信バッファのうちの前記１つまたは複数に、前記決定された量の前記ダウンリンクデータを追加することと、
前記ＷＬＡＮ送信バッファのうちの前記１つまたは複数に前記決定された量の前記ダウンリンクデータを追加した後に、前記ＷＬＡＮ送信バッファのうちの前記１つまたは複数におけるデータの現在の量に関連するリソースの推定される量が、しきい値未満であると決定することと、
前記決定された優先順位によって定められる順序で、前記ＵＥの各々によって実装される前記ＬＴＥ論理チャネルの各々について、前記ＷＬＡＮ送信バッファのうちの１つまたは複数に追加すべきダウンリンクデータの新たな量を決定することと、をさらに備える、Ｃ６に記載の方法。
［Ｃ１６］
基地局であって、
ロングタームエボリューション（ＬＴＥ）リンクを通じて通信するように構成された第１の無線機と、
ワイヤレスローカルエリアネットワーク（ＷＬＡＮ）リンクを通じて通信するように構成された第２の無線機と、
前記第１の無線機及び前記第２の無線機を制御するように動作可能なスケジューラモジュールを備える少なくとも１つのプロセッサであって、前記スケジューラモジュールが、
ダウンリンク（ＤＬ）送信のためのデータを決定することと、
複数のユーザ機器（ＵＥ）が前記ＬＴＥリンク及び前記ＷＬＡＮリンクで前記基地局によってサーブされるときに、第１の送信間隔において前記データを送信するためのリソースを共同で割り当てることであって、
リンク毎にＬＴＥリンクおよびＷＬＡＮリンクのそれぞれにおける前記ＤＬ送信のための前記データの複数の部分に優先順位付けすることと、
前記共同で割り当てられたリソースに基づいて前記ＤＬ送信のためのパケットを要求することと、ここにおいて、前記パケットは、前記ＬＴＥリンク及び前記ＷＬＡＮリンクにおける送信のために前記基地局のアグリゲーティング層で生成され、
前記ＬＴＥリンクおよび前記ＷＬＡＮリンクのそれぞれにおける送信のために、前記第１の無線機及び前記第２の無線機に前記アグリゲーティング層によって生成された前記パケットを送ることとを含む、リソースを共同で割り当てることと、
を行うように構成された、プロセッサと、
前記少なくとも１つのプロセッサに結合されたメモリと、
を備える基地局。
［Ｃ１７］
前記ＷＬＡＮリンクにおいてリソースを共同で割り当てることが、前記第１の送信間隔の前の１つまたは複数のＷＬＡＮ送信バッファのフィルレベルに少なくとも部分的に基づく、Ｃ１６に記載の基地局。
［Ｃ１８］
リソースを共同で割り当てることが、前記ＷＬＡＮリンクのチャネル品質に少なくとも部分的に基づく、Ｃ１６に記載の基地局。
［Ｃ１９］
前記ＵＥの各々が少なくとも１つのＬＴＥ論理チャネルに関連付けられ、前記スケジューラモジュールが、
前記複数のＵＥの各々によって実装される各ＬＴＥ論理チャネルの優先順位を決定することと、
前記決定された優先順位によって定められる順序で、前記ＵＥの各々によって実装される前記ＬＴＥ論理チャネルの各々について、１つまたは複数のＷＬＡＮ送信バッファに追加するべきダウンリンクデータの量を決定することと、
を行うようにさらに構成される、Ｃ１６に記載の基地局。
［Ｃ２０］
前記送ることは、異なるサービス品質（ＱｏＳ）レベルに関連する１つまたは複数のＷＬＡＮ送信バッファに前記パケットを追加することを備える、Ｃ１６に記載の基地局。
［Ｃ２１］
前記スケジューラモジュールは、
前記複数のＵＥの各々によって実装される各ＬＴＥ論理チャネルについてＷＬＡＮの優先順位を決定することと、
各ＬＴＥ論理チャネルに関する、前記決定されたＷＬＡＮの優先順位に基づいて、前記複数のＵＥの各々によって実装される前記ＬＴＥ論理チャネルの順序付けを備える、ＷＬＡＮ優先順位リストを生成することと、を行うようにさらに構成される、Ｃ１９に記載の基地局。
［Ｃ２２］
前記スケジューラモジュールは、
前記ＷＬＡＮリンクについてのスケジューリングインスタンスが、前記ＬＴＥリンクについてのスケジューリングインスタンスと一致していると決定することと、
前記複数のＵＥの各々によって実装される各ＬＴＥ論理チャネルについてのＬＴＥ優先順位を決定することと、
各ＬＴＥ論理チャネルに割り当てられた前記ＬＴＥ優先順位に従って、前記複数のＵＥの各々によって実装される前記ＬＴＥ論理チャネルの順序付けを備えるＬＴＥ優先順位リストを生成することと、
前記ＬＴＥ優先順位リストと前記ＷＬＡＮ優先順位リストとを組み合わせることと、
前記ＬＴＥ優先順位リストと前記ＷＬＡＮ優先順位リストとの前記組み合わせに基づく順序で、ＬＴＥリンク及び前記ＷＬＡＮリンクのうちの前記１つまたは複数の間に、ＤＬ送信のための前記データを割り当てることと、
を行うようにさらに構成される、Ｃ２１に記載の基地局。
［Ｃ２３］
前記スケジューラモジュールは、
前記決定された優先順位によって定められる前記順序に従って、各ＬＴＥ論理チャネルに関連する前記１つまたは複数のＷＬＡＮ送信バッファに入れるべき、そのＬＴＥ論理チャネルからのダウンリンクデータの仮の量を決定することを行うようにさらに構成され、ここにおいて、ダウンリンクデータの前記仮の量は、前記ＬＴＥ論理チャネルと関連する前記１つまたは複数のＷＬＡＮ送信バッファについての最大推定バッファサイズと、前記ＬＴＥ論理チャネルのための利用可能なダウンリンクデータの量とに少なくとも部分的に基づく、Ｃ１９に記載の基地局。
［Ｃ２４］
前記スケジューラモジュールは、
前記第１の送信間隔の間に、前記ＬＴＥ論理チャネル及び前記ＬＴＥ論理チャネルを実装する前記ＵＥについて、前記ＬＴＥリンクと前記ＷＬＡＮリンクとの間の優先順位付けに基づいて、前記ＬＴＥ論理チャネルから前記ＬＴＥ論理チャネルに関連する前記１つまたは複数のＷＬＡＮ送信バッファに前記仮の量のダウンリンクデータを追加するかどうかを決定することを行うようにさらに構成される、Ｃ２３に記載の基地局。
［Ｃ２５］
前記スケジューラモジュールは、
前記決定された仮の量に従って、前記ＬＴＥリンク及び前記ＷＬＡＮリンクのうちの１つまたは複数を通じた前記ＬＴＥ論理チャネルに関連する、前記１つまたは複数のＷＬＡＮ送信バッファについての利用可能なデータの総量を送信することに関する、推定される全遅延と、前記ＬＴＥリンクによる、前記ＬＴＥ論理チャネルに関連する、前記１つまたは複数のＷＬＡＮ送信バッファについての利用可能なデータの総量を送信することに関する、推定される全遅延との差に基づいて、前記第１の送信間隔の間に、前記ＬＴＥ論理チャネルについて、前記ＷＬＡＮリンクと前記ＬＴＥリンクとの間の前記優先順位付けを決定することを行うようにさらに構成される、Ｃ２４に記載の基地局。
［Ｃ２６］
前記スケジューラモジュールは、
前記ＬＴＥ論理チャネルに関連する前記１つまたは複数のＷＬＡＮ送信バッファに、前記仮の量のダウンリンクデータを追加するという決定に応答して、前記第１の送信間隔の間、ＤＬ ＬＴＥリソースが前記ＬＴＥ論理チャネルを実装する前記ＵＥについて現在スケジュールされているかどうかを決定することと、
ダウンリンクＬＴＥリソースが前記ＵＥについて現在スケジュールされているという前記決定に基づいて、仮のＵＥダウンリンクリソース割り当てを更新することと、
を行うようにさらに構成される、Ｃ２４に記載の基地局。
［Ｃ２７］
ダウンリンク送信を管理する基地局装置であって、
基地局によって、第１の送信間隔において、ロングタームエボリューション（ＬＴＥ）リンク及びワイヤレスローカルエリアネットワーク（ＷＬＡＮ）リンクのうちの１つまたは複数におけるダウンリンクデータ送信について、複数のユーザ機器（ＵＥ）を決定する手段と、
前記ダウンリンク（ＤＬ）送信のためのデータを決定する手段と、
前記ＵＥが前記ＬＴＥリンク及び前記ＷＬＡＮリンクのうちの前記１つまたは複数でサーブされるときに、前記第１の送信間隔において前記データを送信するためにリソースを共同で割り当てる手段であって、
リンク毎に、ＬＴＥリンクおよびＷＬＡＮリンクのそれぞれにおける前記ＤＬ送信のための前記データの複数の部分に優先順位付けする手段と、
前記共同で割り当てられたリソースに基づいて前記ＤＬ送信のためのパケットを要求する手段であって、前記パケットが前記ＬＴＥ及びＷＬＡＮリンクについて前記基地局のアグリゲーティング層から要求される、要求するための手段とを含む、
リソースを共同で割り当てる手段と、
前記第１の送信間隔の間に、少なくとも前記ＵＥのサブセットに前記アグリゲーティング層からのパケットを送信する手段と、
を備える、基地局装置。
［Ｃ２８］
前記ＷＬＡＮリンクにおいてリソースを共同で割り当てることが、前記第１の送信間隔の前の、１つまたは複数のＷＬＡＮ送信バッファのフィルレベルに少なくとも部分的に基づく、Ｃ２７に記載の基地局装置。
［Ｃ２９］
前記送信する手段は、異なるサービス品質（ＱｏＳ）レベルに関連する１つまたは複数のＷＬＡＮ送信バッファに前記パケットを追加するように構成される、Ｃ２８に記載の基地局装置。
［Ｃ３０］
コンピュータ可読プログラムコードを記憶した非一時的コンピュータ可読媒体を備えるコンピュータプログラム製品であって、前記コンピュータ可読プログラムコードは、
少なくとも１つのプロセッサに、第１の送信間隔における、ロングタームエボリューション（ＬＴＥ）リンク及びワイヤレスローカルエリアネットワーク（ＷＬＡＮ）リンクのうちの１つまたは複数におけるダウンリンクデータ送信のために、複数のユーザ機器（ＵＥ）を決定させるように構成された、コンピュータ可読プログラムコードと、
前記少なくとも１つのプロセッサに、前記ダウンリンク（ＤＬ）送信のためのデータを決定させるように構成された、コンピュータ可読プログラムコードと、
前記ＵＥが前記ＬＴＥリンク及び前記ＷＬＡＮリンクのうちの前記１つまたは複数でサーブされるときに、前記第１の送信間隔において、前記データを送信するためのリソースを共同で割り当てるように構成されたコンピュータ可読プログラムコードであって、
リンク毎に、ＬＴＥリンクおよびＷＬＡＮリンクのそれぞれにおける前記ＤＬ送信のための前記データの複数の部分に優先順位付けするように構成されたコンピュータ可読プログラムコードと、
前記共同で割り当てられたリソースに基づく前記ＤＬ送信のためのパケットに関する要求を受信するように構成されたコンピュータ可読プログラムコードと、ここにおいて、前記パケットが、前記ＬＴＥリンク及び前記ＷＬＡＮリンクのために基地局のアグリゲーティング層から要求される、
を含む、リソースを共同で割り当てるように構成されたコンピュータ可読プログラムコードと、
前記少なくとも１つのプロセッサに、前記第１の送信間隔の間に、少なくとも前記ＵＥのサブセットに対して前記アグリゲーティング層から受信されたパケットを送信させるように構成されたコンピュータ可読プログラムコードと、
を備える、コンピュータプログラム製品。